(57)【要約】【課題】単純な構成により多種多様の転写材においても用紙走行を妨げることのないジャム検知が可能な画像形成装置を提供する。【解決手段】加熱ロール４と加圧ロール５を有する定着手段１と、定着手段１によりトナーを定着させた転写体１１の有無を検知する定着後転写材検知手段とを備え、定着後転写体検知手段は、発光素子９ａと受光素子９ｂを備えて加熱ロール４から離間した位置に設置されて、発光素子９ａと転写材１１の搬送経路の間、転写材１１の搬送経路と受光素子９ｂの間が光ファイバー１０で接続されていることを特徴とする。【選択図】  図１
2008216551.tif 000002
【特許請求の範囲】
【請求項１】
内部に加熱用のヒータを有する加熱ロールと、該加熱ロールと所定の圧力で接している加圧ロールとを有し、未定着トナーを有する転写材が前記加熱ロールと加圧ロールの間を挟圧搬送されて未定着トナーが転写材に定着される定着手段と、
前記定着手段によりトナーを定着させた前記転写体の有無を検知する定着後転写材検知手段とを有する画像形成装置において、
前記定着後転写体検知手段は、前記転写材に光を出力する発光素子と、その転写材からの反射光を検知するための受光素子とを備え、前記発光素子と受光素子は前記加熱ロールから離間した位置に設置されて、前記発光素子と前記転写材の搬送経路の間、ならびに前記転写材の搬送経路と前記受光素子の間が光ファイバーによりそれぞれ接続されていることを特徴とする画像形成装置。
【発明の詳細な説明】
【技術分野】
【０００１】
本発明は、電子写真装置などの画像形成装置に係り、特にそれの定着装置におけるジャム検知装置に関するものである。
【背景技術】
【０００２】
従来、電子写真方式の定着装置において、定着装置内部での転写材のジャム、残留を検出する方法として、加熱ローラの下流側に排紙センサレバーとその位置検知を行うフォトインタラプタを配置し、そのフォトインタラプタの検知情報によってジャムを検知する方法がある。
【０００３】
以下、従来のジャム検知方法について説明する。
【０００４】
図３は電子写真印刷装置の概略構成図、図４は従来の定着装置の概略構成図、図５はその定着装置内部のジャム時の状態を示す図である。
【０００５】
図３に示す電子写真印刷装置において、給紙トレイ１２にセットされた転写材１１は、給紙ローラ１３によって給紙され、搬送ローラ１４、レジストローラ１５によって感光ドラム１６と転写装置１７に搬送される。一方、感光ドラム１６には、画像データに応じた静電潜像が形成され、現像機１８によりトナーが感光ドラム１６の静電潜像に供給されたのち、静電潜像上のトナーは、転写装置１７により転写材１１に転写される。トナー像が転写された転写材１１が定着装置１内部の加熱ローラ４と加圧ローラ５で挟持搬送されることにより、トナー像が加熱、加圧されて転写材１１に定着される。トナーが定着された転写材１１は搬送され積載部１９に排出される。
【０００６】
次に定着装置内部のジャム検知動作について図４を用いて説明する。定着装置１の加熱ローラ４の搬送経路下流側には、転写材搬送経路にオーバーラップし回転軸Ｊを中心に回転可能である排紙センサレバー２０と、その排紙センサレバー２０を搬送経路にオーバーラップさせる方向に常時力を加えるバネ２１と、排紙センサレバー２０の位置検知を行うフォトインタラプタ２２とを配置している。
【０００７】
加熱ローラ４と加圧ローラ５によって挟持搬送された転写材１１が排紙センサレバー２０を押し倒すことによって、排紙センサレバー２０の遮光板２０ａがフォトインタラプタ２２の光路を遮らなくなる方向に動き、フォトインタラプタ２２の出力がＨｉｇｈからＬｏｗに変化し、転写材１１の有りを検知する。また所定時間内にフォトインタラプタ２２の出力が変わるか否かによって、ジャムの検知を行う。
【０００８】
【特許文献１】特開２００４−１４２８４５号公報（第９頁、図１１）
【発明の開示】
【発明が解決しようとする課題】
【０００９】
しかしながら、従来技術では次のような問題があった。この問題点について、図５を用いて説明する。トレーシングペーパー等の腰の弱い用紙においては、転写材１１が（排紙センサレバー２０を押す力）＜（排紙センサレバー２０を搬送経路にラップさせる方向に働くバネ力）となり、転写材１１が排紙センサレバー２０を倒しきれずに、ジャムとなってしまうという課題があった。
【００１０】
一方、排紙センサレバー２０を用いずに、発光素子と受光素子を持つフォトセンサによって、転写材の反射光を検知することにより、転写材の有無を検知することは物理的に可能であるが、加熱ローラ近傍は温度が高く、またフォトセンサの耐熱性は高くないため、安全上の点で採用できないという問題があった。
【００１１】
本発明の目的は、上記課題を解決するためになされたものであり、簡単な構成で転写材の走行を妨げることのないジャム検知が可能な画像形成装置を提供することにある。
【課題を解決するための手段】
【００１２】
前記目的を達成するため本発明は、内部に加熱用のヒータを有する加熱ロールと、該加熱ロールと所定の圧力で接している加圧ロールとを有し、未定着トナーを有する転写材が前記加熱ロールと加圧ロールの間を挟圧搬送されて未定着トナーが転写材に定着される定着手段と、前記定着手段によりトナーを定着させた前記転写体の有無を検知する定着後転写材検知手段とを有する画像形成装置において、前記定着後転写体検知手段は、前記転写材に光を出力する発光素子と、その転写材からの反射光を検知するための受光素子とを備え、前記発光素子と受光素子は前記加熱ロールから離間した位置に設置されて、前記発光素子と前記転写材の搬送経路の間、ならびに前記転写材の搬送経路と前記受光素子の間が光ファイバーによりそれぞれ接続されていることを特徴とするものである。
【発明の効果】
【００１３】
本発明によれば、転写材によって物理的に排紙センサレバーを倒すことによりジャム検知するのではなく、転写材の反射光を利用して用紙の有無を検出できるため、簡単な構成で転写材の走行を妨げることのないジャム検知が可能となる。
【発明を実施するための最良の形態】
【００１４】
本発明に基づく定着装置の実施の形態について図面を用いて説明する。図１は本発明の実施形態に係る定着装置の概略構成図、図２はその定着装置の定着後転写材検知用フォトセンサ９の近傍を示す図である。電子写真印刷装置の全体の概略構成については図３で説明したものと同様であるので、その説明を省略する。
【００１５】
図１に示すように定着装置１は、フレーム２、入口ガイド３、加熱ローラ４、加圧ローラ５、定着出口上ガイド６、定着出口下ガイド７、定着出口ローラ８などを備え、さらに定着後転写材検知手段としてのフォトセンサ９と、フォトセンサ９と転写材間の発光、受光の受け渡しをするための光ファイバー１０とを有している。
【００１６】
フォトセンサ９は加熱ローラ４の熱的影響を避けるために、定着出口下ガイド７の下方の離れた位置に配置されている。フォトセンサ９の発光素子９ａ、受光素子９ｂの表面からは、それぞれ耐熱性の光ファイバー１０が接続されており、光ファイバー１０の先端は転写材１１の表面に対してほぼ垂直かつ、転写材１１に触れることの無いように定着出口下ガイド７の表面より下面に配置されている（図２参照）。
【００１７】
図２に示すように未定着トナーが転写された転写材１１は、加熱ローラ４と加圧ローラ５で挟持搬送されてトナーの定着が行われる。転写材１１が光ファイバー１０の先端に無い場合には、フォトセンサ９の受光検知レベルがＬｏｗであるため、転写材１１の無しを検知し、転写材１１が光ファイバー１０の先端に有る場合には、フォトセンサ９の受光レベルがＨｉｇｈとなり、転写材１１の有りを検知する。従って転写材１１の走行を妨げることなくジャム検知が可能となる。
【図面の簡単な説明】
【００１８】
【図１】本発明の実施形態に係る定着装置の概略構成図である。
【図２】その定着装置のフォトセンサ近傍の状態を示す図である。
【図３】定着装置を装備した電子写真装置の概略構成図である。
【図４】従来技術による定着装置の概略構成図である。
【図５】その定着装置のジャム時の状態を示す図である。
【符号の説明】
【００１９】
１は定着装置、２はフレーム、３は定着入口ガイド、４は加熱ローラ、５は加圧ローラ、６は定着出口上ガイド、７は定着出口下ガイド、８は定着出口ローラ、９はフォトセンサ、９ａは発光素子、９ｂは受光素子、１０は光ファイバー、１１は転写材、１２は給紙トレイ、１３は給紙ローラ、１４は搬送ローラ、１５はレジストローラ、１６は感光ドラム、１７は転写装置、１８は現像機、１９は積載部、２０は排紙センサレバー、２０は遮光板、２１はバネ、２２はフォトインタラプタである。
【図１】
2008216551.tif 000003
【図２】
2008216551.tif 000004
【図３】
2008216551.tif 000005
【図４】
2008216551.tif 000006
【図５】
2008216551.tif 000007